(57)【特許請求の範囲】
【請求項１】
送風口を有する本体ケースと、
前記本体ケース内に設けた送風手段と、
前記送風口に可動自在に設けたルーバーと、
前記ルーバーの送風先端側に回動自在に設けた第１の風向変更手段とを備え、
前記ルーバーは、送風先端部の両側に送風先端方向へ延びるルーバー支持部を設け、
前記第１の風向変更手段の両側には、第１の風向板支持部を備え、
両側の前記ルーバー支持部間に前記第１の風向板支持部を軸支させ、
前記ルーバー支持部と前記第１の風向板支持部とに回動角度調整手段を設け、
前記回動角度調整手段は、前記ルーバー支持部から延び弾性を有するルーバー回動角度調整支持部と、前記ルーバー回動角度調整支持部に設けたルーバー回動角度調整突起部と、前記第１の風向板支持部に設けた前記ルーバー回動角度調整突起部が入る複数の風向板回動角度調整穴部とからなり、
前記ルーバー回動角度調整支持部は、前記ルーバー支持部における先端側の前記第１の風向変更手段の回動中心から前記ルーバー支持部の根元側へ延び、
前記ルーバー回動角度調整突起部は、前記ルーバー回動角度調整支持部の先端側に設けられ、
前記ルーバー回動角度調整支持部の周縁と前記ルーバー支持部との間には、Ｕの字形状の溝部を有することを特徴とする風向変更装置。
【請求項２】
両側の前記ルーバー支持部の外面周縁には、外方へ突出したリブ部を備えたことを特徴とする請求項１に記載の風向変更装置。
【請求項３】
前記ルーバー支持部は、前記ルーバーの送風先端部の両端に設けたことを特徴とする請求項２に記載の風向変更装置。
【発明の詳細な説明】
【技術分野】
【０００１】
本発明は、除湿機などの空調装置の吹出口に使用される風向変更装置に関する。
【背景技術】
【０００２】
風向変更装置は、上方に開口する送風口を有する本体ケースと、本体ケース内に設けた送風手段と、前記送風口に回動可能に設けたルーバーと、前記ルーバーに軸支され回動可能に設けた第１の風向変更手段を備え、前記第１の風向変更手段の回動角度調整手段はルーバー側に回動角度調整穴部を、第１の風向変更手段側に回動角度調整突起部を設ける組み合わせにより、小さな可動範囲で効率良く乾燥空気の吹出範囲を拡大するとともに送風の指向性を高めることができる構成となっていた。（例えば、特許文献１参照）
【先行技術文献】
【特許文献】
【０００３】
【特許文献１】特許第４４５７６８９号公報
【発明の概要】
【発明が解決しようとする課題】
【０００４】
上記従来例における課題としては、第１の風向変更手段の回動角度を調整する際の使用感を更に向上するということであった。
【０００５】
従来の物においては、第１の風向変更手段の回動角度を調整する際に、第１の風向変更手段の回動角度調整手段である回動角度調整穴部および回動角度調整突起部ともたわみ難い場合があり、回動させる際には大きな摩擦力が発生し操作力も大きくなる場合がある。
【０００６】
そこで本発明は、第１の風向変更手段の回動角度を調整する際の使用感向上を目的とするものである。
【課題を解決するための手段】
【０００７】
そしてこの目的を達成するために本発明は、送風口を有する本体ケースと、前記本体ケース内に設けた送風手段と、前記送風口に可動自在に設けたルーバーと、前記ルーバーの送風先端側に回動自在に設けた第１の風向変更手段とを備え、前記ルーバーは、送風先端部の両側に送風先端方向へ延びるルーバー支持部を設け、前記第１の風向変更手段の両側には、第１の風向板支持部を備え、両側の前記ルーバー支持部間に前記第１の風向板支持部を軸支させ、前記ルーバー支持部と前記第１の風向板支持部とに回動角度調整手段を設け、前記回動角度調整手段は、前記ルーバー支持部から延び弾性を有するルーバー回動角度調整支持部と、前記ルーバー回動角度調整支持部に設けたルーバー回動角度調整突起部と、前記第１の風向板支持部に設けた前記ルーバー回動角度調整突起部が入る複数の風向板回動角度調整穴部とからなり、前記ルーバー回動角度調整支持部は、前記第１の風向変更手段の回動中心から延び、前記ルーバー回動角度調整突起部は、前記ルーバー回動角度調整支持部の先端側に設けられ、前記ルーバー回動角度調整支持部は、前記ルーバー支持部における先端側の前記第１の風向変更手段の回動中心から前記ルーバー支持部の根元側へ延び、前記ルーバー回動角度調整突起部は、前記ルーバー回動角度調整支持部の先端側に設けられ、前記ルーバー回動角度調整支持部の周縁と前記ルーバー支持部との間には、Ｕの字形状の溝部を有することを特徴としたものであり、これにより初期の目的を達成するものである。
【発明の効果】
【０００８】
本発明によれば、送風口を有する本体ケースと、前記本体ケース内に設けた送風手段と、前記送風口に可動自在に設けたルーバーと、前記ルーバーの送風先端側に回動自在に設けた第１の風向変更手段とを備え、前記ルーバーは、送風先端部の両側に送風先端方向へ延びるルーバー支持部を設け、前記第１の風向変更手段の両側には、第１の風向板支持部を備え、両側の前記ルーバー支持部間に前記第１の風向板支持部を軸支させ、前記ルーバー支持部と前記第１の風向板支持部とに回動角度調整手段を設け、前記回動角度調整手段は、前記ルーバー支持部から延び弾性を有するルーバー回動角度調整支持部と、前記ルーバー回動角度調整支持部に設けたルーバー回動角度調整突起部と、前記第１の風向板支持部に設けた前記ルーバー回動角度調整突起部が入る複数の風向板回動角度調整穴部とからなり、前記ルーバー回動角度調整支持部は、前記第１の風向変更手段の回動中心から延び、前記ルーバー回動角度調整突起部は、前記ルーバー回動角度調整支持部の先端側に設けられ、前記ルーバー回動角度調整支持部は、前記ルーバー支持部における先端側の前記第１の風向変更手段の回動中心から前記ルーバー支持部の根元側へ延び、前記ルーバー回動角度調整突起部は、前記ルーバー回動角度調整支持部の先端側に設けられ、前記ルーバー回動角度調整支持部の周縁と前記ルーバー支持部との間には、Ｕの字形状の溝部を有する構成としたものであり、第１の風向変更手段の回動角度を調整する際の使用感を向上することが出来るものである。
【０００９】
すなわち、回動角度調整手段は、ルーバー回動角度調整突起部と風向板回動角度調整穴部との嵌合を利用したものであり、ルーバー回動角度調整突起部をルーバー回動角度調整支持部に設け、ルーバー回動角度調整支持部に弾性を持たせている。
【００１０】
これにより、第１の風向変更手段の回動角度を調整する際に、ルーバー回動角度調整支持部がたわみ、ルーバー回動角度調整突起部が、第１の風向変更手段の回動に合わせて第１の風向板支持部の表面上を一定の適度な摩擦力を保持した状態でスムーズに移動する。そして、一旦摩擦力が開放されると同時に、風向板回動角度調整穴部にルーバー回動角度調整突起部が入る。結果として、明確な作動感を得ることが可能になり、第１の風向変更手段の回動角度を調整する際の使用感を向上することができる。また、ルーバー回動角度調整支持部とルーバー支持部の両方がたわむので、耐久性が向上する。
【図面の簡単な説明】
【００１１】
【図１】本発明の実施の形態１の風向変更装置を示す斜視図
【図２】同風向変更装置におけるルーバーと第１の風向変更手段の分解斜視図
【図３】同風向変更装置におけるルーバーの平面図
【図４】同風向変更装置における第１の風向変更手段の斜視図
【図５】同風向変更装置におけるルーバー回動角度調整突起部の部分拡大図
【図６】同風向変更装置における風向板回動角度調整穴部の部分拡大図
【図７】同風向変更装置におけるリブ部の部分拡大図
【発明を実施するための形態】
【００１２】
以下、本発明の実施の形態について図面を参照しながら説明する。
【００１３】
（実施の形態１）
以下本発明の一実施形態を添付図面を用いて説明する。
【００１４】
図１は、本発明の実施の形態１の風向変更装置を示す斜視図で、風向変更装置を前面側から見た斜視図である。図１に示すように、１は縦長箱状の本体ケースで、この本体ケース１の上部には送風口２を、本体ケース１の背面側には、吸気口（図示せず）を備えている。本体ケース１内には、送風手段（図示せず）を備えている。この送風手段によって、吸気口から吸い込んだ空気を、送風手段を介して、送風口２から送風する。
【００１５】
送風口２には、可動自在なルーバー３と、ルーバー３の送風先端側に回動自在に設けた第１の風向変更手段４と、第１の風向変更手段４の下方に設けた第２の風向変更手段１７を備えている。
【００１６】
図２は、本発明の実施の形態１の風向変更装置におけるルーバーと第１の風向変更手段の分解斜視図である。図２における右側が、ルーバー３であり、図２における左側が、第１の風向変更手段４である。図３は、本発明の実施の形態１の風向変更装置におけるルーバーの平面図である。図３は、ルーバー３を上方から見た図である。図４は、本発明の実施の形態１の風向変更装置における第１の風向変更手段の斜視図である。図４は、第１の風向変更手段４を斜め下方から見た図である。
【００１７】
図２、３に示すように、ルーバー３は、ルーバー板部５とルーバー支持部６とを備えている。ルーバー支持部６の間に、第１の風向変更手段４を回動自在に装着できる。ルーバー板部５は、略横長四角形状の平板である。ルーバー板部５の送風先端部の両側には、送風先端方向に延び、上下方向に平面を有するルーバー支持部６を設けている。ルーバー板部５とルーバー支持部６とは、樹脂材料によって一体に成型されている。
【００１８】
ルーバー支持部６の送風根元方向側には、外面から外方に延びたルーバー軸部６Ａを備えている。これらのルーバー軸部６Ａが、送風口２の送風口軸受部（図示せず）に回動自在に嵌り、ルーバー３は、送風口２に対して可動自在となっている。一方のルーバー軸部６Ａが、回動モータ（図示せず）に連結され、この回動モータによって、ルーバー３は往復回動する。ルーバー支持部６の送風根元方向側の下部には、第１の風向変更手段４の回動制限のために設けたストッパー部１６を備えている。
【００１９】
ルーバー支持部６の送風先端方向側には、内面から内方に延びた軸部１３を備え、この軸部１３が、後述する第１の風向変更手段４における第１の風向板支持部７に設けた軸孔１４に嵌り、第１の風向変更手段４は、ルーバー３に対して回動自在となっている。
【００２０】
第１の風向変更手段４は、略横長四角形状の平板である。第１の風向変更手段４の両側には、第１の風向板支持部７を備え、これらの第１の風向板支持部７の外面には、孔である軸孔１４を有している。両側のルーバー支持部６に設けた軸部１３間に第１の風向板支持部７に設けた軸孔１４を軸支させ、第１の風向変更手段４は、ルーバー３に対して回動自在となっている。
【００２１】
本実施形態における特徴点は、ルーバー支持部６と第１の風向板支持部７とに回動角度調整手段８を設けた点である。回動角度調整手段８は、ルーバー支持部６から延び弾性を有するルーバー回動角度調整支持部９と、ルーバー回動角度調整支持部９に設けたルーバー回動角度調整突起部１０と、第１の風向板支持部７に設けたルーバー回動角度調整突起部１０が入る複数の風向板回動角度調整穴部１１とを備えたものである。
【００２２】
これにより、第１の風向変更手段４の回動角度を調整する際に、ルーバー回動角度調整支持部がたわみ、ルーバー回動角度調整突起部１０が、第１の風向変更手段４の回動に合わせて第１の風向板支持部７の表面上を一定の適度な摩擦力を保持した状態でスムーズに移動する。そして、一旦摩擦力が開放されると同時に、風向板回動角度調整穴部１１にルーバー回動角度調整突起部１０が入る。結果として、明確な作動感を得ることが可能になり、第１の風向変更手段４の回動角度を調整する際の使用感を向上することができる。
【００２３】
なお、ルーバー回動角度調整支持部９は、ルーバー支持部６にＵの字形状の溝部１５を設けることによって、ルーバー支持部６から延びる構成となっている。
【００２４】
図５は、本発明の実施の形態１の風向変更装置におけるルーバー回動角度調整突起部の部分拡大図である。図５は、ルーバー支持部６の送風先端方向側を内側から見た図である。図６は、本発明の実施の形態１の風向変更装置における風向板回動角度調整穴部の部分拡大図である。図６は、第１の風向板支持部７を外側から見た図である。図７は、本発明の実施の形態１の風向変更装置におけるリブ部の部分拡大図である。図７は、ルーバー支持部６の送風先端方向側を外側から見た図である。
【００２５】
図５、６、７に示すように、ルーバー回動角度調整支持部９は、第１の風向変更手段４の回動中心となる軸部１３から延び、ルーバー回動角度調整突起部１０は、ルーバー回動角度調整支持部９の先端側に設けられたものである。
【００２６】
これにより、第１の風向変更手段４が回動する際に、ルーバー回動角度調整突起部１０の可動範囲を大きくすることができるので、ルーバー回動角度調整突起部１０に最大の弾性を持たせることが可能となり、結果として明確な作動感を得ることが可能になり、第１の風向変更手段４の回動角度を調整する際の使用感を向上することができる。また、ルーバー回動角度調整支持部９は、第１の風向変更手段４の回動中心から外方へ延びており、回動角度が変化しても、ルーバー回動角度調整支持部９がたわむ寸法は一定なので、一定の作動感を得ることができる。
【００２７】
また、両側のルーバー支持部６の外面周縁には、外方へ突出したリブ部１２を備えたものである。これにより、ルーバー支持部６の強度が確保できるので、ルーバー支持部６の厚みを抑えてコンパクトに形成できる。
【００２８】
また、リブ部１２の高さは、ルーバー回動角度調整支持部９の弾性によるたわみ代より大きいので、ルーバー回動角度調整支持部９の弾性によるたわみ代をリブ部１２の高さ分確保でき、結果として明確な作動感を得ることが可能になり、第１の風向変更手段４の回動角度を調整する際の使用感を向上することができる。
【００２９】
また、ルーバー支持部６は、ルーバー３の送風先端部の両端に設けたものである。これにより、送風口２の横幅一杯にルーバー３を形成することができ、送風口２からの送風を妨げることなく風向変更装置の風向変更調節機能を最大限に利用することができ、結果として明確な作動感を得ることが可能になり、第１の風向変更手段４の回動角度を調整する際の使用感を向上することができる。
【００３０】
また、軸部１３の高さは、ルーバー回動角度調整突起部１０の高さより高いものである。軸部１３は、ルーバー回動角度調整突起部１０より、ルーバー支持部６における先端側に設けられているので、左右のルーバー支持部６の間に、第１の風向変更手段４を装着する場合に、ルーバー支持部６の間の距離を広げながら、第１の風向変更手段４の軸孔１４を、ルーバー支持部６の軸部１３に挿入し易くなる。なお、ルーバー板部５とルーバー支持部６とは、樹脂材料によって一体に成型されているので、ルーバー支持部６がしなり、ルーバー支持部６の間の距離を広がるものである。
【００３１】
更に、ルーバー回動角度調整支持部９は、第１の風向変更手段４の回動中心となる軸部１３、つまりルーバー支持部６における先端側からルーバー支持部６の根元側へ延びている。これにより、第１の風向変更手段４の回動角度を調整する際に、ルーバー回動角度調整支持部９とルーバー支持部６とがたわみ、ルーバー回動角度調整突起部１０が、第１の風向変更手段４の回動に合わせて第１の風向板支持部７の表面上を一定の適度な摩擦力を保持した状態でスムーズに移動する。このように、ルーバー回動角度調整支持部９とルーバー支持部６の両方がたわむので、耐久性が向上する。
【００３２】
また、第１の風向変更手段４の回動角度は、０度（水平）から最大角度３０度または６０度までが実用的であり、本実施の形態では回動できる最大角度を４５度として、段階的に回動変更できるように０度（水平）と４５度の２つの角度用の風向板回動角度調整穴部１１を設けており、第１の風向変更手段４の回動制限のために設けたストッパー部１６と、ルーバー３のルーバー板部５で、第１の風向変更手段４の回動角度を規制している。
【００３３】
第１の風向変更手段４の回動角度を調整する際に両側のルーバー回動角度調整突起部１０が第１の風向変更手段４の回動に合わせて第１の風向板支持部７の表面上を一定の適度な摩擦力を保持した状態でスムーズに回動し、ルーバー回動角度調整突起部１０が入る複数の風向板回動角度調整穴部１１で、一旦摩擦力が開放されることで明確な作動感が生じ、第１の風向変更手段４の回動角度調整する際の使用感を向上することができる。
【００３４】
また、両側から弾性のあるルーバー回動角度調整突起部１０により、第１の風向変更手段４を挟み込む構成になるため、風圧により第１の風向変更手段４がびびることもない。
【００３５】
また、本実施の形態では両側に回動角度調整手段８（ルーバー回動角度調整突起部１０と風向板回動角度調整穴部１１）を設けたが、片側だけに回動角度調整手段８を設けてもほぼ同様の効果は得られる。
【００３６】
また、ルーバー回動角度調整突起部１０をルーバー回動角度調整支持部９に設けることで、ルーバー回動角度調整突起部１０に弾性を持たせる構成のために、ルーバー回動角度調整突起部１０の弾性力調整は、ルーバー回動角度調整突起部１０の高さ変更ではなく、ルーバー回動角度調整支持部９の樹脂厚みや樹脂幅およびＵの字形状の溝部１５の幅等の変更により調整可能なので、比較的容易に微調整可能となっている。
【産業上の利用可能性】
【００３７】
本発明に係る風向変更装置は、吹出空気を広範囲にまたは絞り込んで吐出する空調機器に有用である。
【符号の説明】
【００３８】
１      本体ケース
２      送風口
３      ルーバー
４      第１の風向変更手段
５      ルーバー板部
６      ルーバー支持部
６Ａ    ルーバー軸部
７      第１の風向板支持部
８      回動角度調整手段
９      ルーバー回動角度調整支持部
１０      ルーバー回動角度調整突起部
１１      風向板回動角度調整穴部
１２      リブ部
１３      軸部
１４      軸孔
１５      溝部
１６      ストッパー部
１７      第２の風向変更手段
【図１】
0006524410.tif 000002
【図２】
0006524410.tif 000003
【図３】
0006524410.tif 000004
【図４】
0006524410.tif 000005
【図５】
0006524410.tif 000006
【図６】
0006524410.tif 000007
【図７】
0006524410.tif 000008